(57)【要約】【課題】できる限り既存のスライド式黒板の機構を利用し、別途スクリーンを用意することなくプロジェクター等用のスクリーンとして利用することが可能で、しかも当該スクリーン面を上方に位置させたとしても、スクリーン映像がぼやけることなく明瞭に視認可能なスクリーン機能を備えたスライド式筆記板を提供することを課題とする。【解決手段】背面に設置されたガイドバー２が、壁面３０に取り付けられた昇降装置３に支持されることにより昇降可能にされるスクリーン兼用の筆記板であって、前記筆記板１は、その下端部が前記ガイドバー２の下端部に枢支され、その上部と前記ガイドバーの上部との間に、前記筆記板を傾斜可能にし且つその傾斜状態を保持し得る傾斜保持機構１１、１２が配設される。【選択図】図２
0003125638.tif 000002
【実用新案登録請求の範囲】
【請求項１】
背面に設置されたガイドバーが、壁面に取り付けられた昇降装置に支持されることにより昇降可能にされるスクリーン兼用の筆記板であって、前記筆記板は、その下端部が前記ガイドバーの下端部に枢支され、その上部と前記ガイドバーの上部との間に、前記筆記板を傾斜可能にし且つその傾斜状態を保持し得る傾斜保持機構が配設されることを特徴とするスライド式筆記板。
【請求項２】
前記傾斜保持機構は、一方が前記筆記板の上部に固定され、他方が前記ガイドバーの上部に固定される一対の係合板から成り、前記係合板の一方は横長孔を有し、他方の前記係合板は、前記横長孔に係合して前記横長孔に沿って摺動可能な調整ボルトを有していて、前記調整ボルトは前記横長孔の任意の位置において固定可能である請求項１に記載のスライド式筆記板。
【請求項３】
前記傾斜保持機構は一対のアームから成り、前記アームの一方はその一端が前記筆記板の上部に枢支され、前記アームの他方はその一端が前記ガイドバーの上部に枢支され、前記一対のアームの各他端同士が締付ネジを介して連結され、前記一対のアームは前記締付ネジの緩締操作によって任意の角度に折曲し、その状態を保持可能である請求項１に記載のスライド式筆記板。
【請求項４】
前記傾斜保持機構は、一端が前記掲示板の上部に固定され、前記ガイドバーの上部に設置される滑車に掛け回された後、垂下されるロープで構成され、前記ロープは任意の繰り出し位置において固定可能である請求項１に記載のスライド式筆記板。
【請求項５】
前記掲示板の上部と前記ガイドバーの上部との間に押し開き用スプリングを介在させた請求項４に記載のスライド式筆記版。
【請求項６】
前記傾斜保持機構は、前記筆記板の上部と前記ガイドバーの上部との間に渡されたエアシリンダーである請求項１に記載のスライド式筆記板。
【考案の詳細な説明】
【技術分野】
【０００１】
本考案は、スクリーン機能を兼ね備えたスライド式筆記板、より詳細には、筆記板が本来の黒板やホワイトボード等の機能の他に、プロジェクター等用の映写スクリーンとしての機能をも有する、上下方向スライド式の筆記板に関するものである。
【背景技術】
【０００２】
黒板として、後方の席からも見やすくするために、上方に移動させることができる、上下方向スライド式の黒板が存する。例えば、その昇降機構は、黒板の裏面に、壁に取り付けられるケース内を上下方向に摺動するガイドバーが２本設置されて成る。そして、例えばケース内には一対の滑車と、滑車に掛け回される２条のワイヤーと、ワイヤーを付勢するスプリングとが配備され、各ワイヤーの端部が滑車とガイドバーとに固定される（実開昭４７−３６５３５号公報、実公昭５４−２９８５２号公報）。
【０００３】
上記スプリングの代わりに、ピストンシリンダーを用いるものもあり（実公昭５６−３６３５２号公報）、また、制動のためのハンドルを設けたものも知られている（実開昭５２−１０６３３５号公報）。
【０００４】
ところで、講義や授業、会議等に際し、筆記用の黒板やホワイトボードと共に、プロジェクター等による映写用のスクリーンが用いられることがしばしばある。スクリーンとしては一般に、天井から吊下される巻上式のものや、スタンド式のものが用いられる。
【０００５】
このように、黒板やホワイトボードの他に別途スクリーンを用意することは、コスト面や設置スペース等の問題や、セッティングの煩わしさ等の面で問題がある。そこで最近は、黒板やホワイトボード等の筆記板とスクリーンとを兼用にしたものが出回ってきている（特許第２５１０８０９号公報、特許第３３４８６９６号公報等）。
【０００６】
上記スライド式黒板でスクリーン兼用のものをスクリーンとして用いる場合は、後方の席からも見やすくするために、上方に位置させることが一般である。しかし、その位置が上方であればある程、プロジェクター等からの投光角度がスクリーン面に対して直角よりも小さくなっていき、スクリーン映像がぼやけたものとなっていく。
【０００７】
【特許文献１】実開昭４７−３６５３５号公報
【特許文献２】実公昭５４−２９８５２号公報）
【特許文献３】実公昭５６−３６３５２号公報
【特許文献４】実開昭５２−１０６３３５号公報
【特許文献５】特許第２５１０８０９号公報
【特許文献６】特許第３３４８６９６号公報
【考案の開示】
【考案が解決しようとする課題】
【０００８】
本考案は、上記のような、スクリーン兼用黒板を用いた上下スライド式黒板における問題点を解決するためになされたものであって、できる限り既存のスライド式黒板の機構を利用し、別途スクリーンを用意することなくプロジェクター等用のスクリーンとして利用することが可能で、しかも当該スクリーン面を上方に位置させたとしても、スクリーン映像がぼやけることなく明瞭に視認可能なスクリーン機能を備えたスライド式筆記板を提供することを課題とする。
【課題を解決するための手段】
【０００９】
上記課題を解決するための請求項１に記載のスライド式筆記板は、背面に設置されたガイドバーが、壁面に取り付けられた昇降装置に支持されることにより昇降可能にされるスクリーン兼用の筆記板であって、前記筆記板は、その下端部が前記ガイドバーの下端部に枢支され、その上部と前記ガイドバーの上部との間に、前記筆記板を傾斜可能にし且つその傾斜状態を保持し得る傾斜保持機構が配設されることを特徴とする。
【００１０】
上記課題を解決するための請求項２に記載のスライド式筆記板は、前記筆記板の傾斜保持機構が、一方が前記筆記板の上部に固定され、他方が前記ガイドバーの上部に固定される一対の係合板から成り、前記係合板の一方は横長孔を有し、他方の前記係合板は、前記横長孔に係合して前記横長孔に沿って摺動可能な調整ボルトを有していて、前記調整ボルトは前記横長孔の任意の位置において固定可能とされるというものである。
【００１１】
上記課題を解決するための請求項３に記載のスライド式筆記板は、前記傾斜保持機構が一対のアームから成り、前記アームの一方はその一端が前記筆記板の上部に枢支され、前記アームの他方はその一端が前記ガイドバーの上部に枢支され、前記一対のアームの各他端同士が締付ネジを介して連結され、前記一対のアームは前記締付ネジの緩締操作によって任意の角度に折曲し、その状態を保持可能にされるというものである。
【００１２】
上記課題を解決するための請求項４に記載のスライド式筆記板は、前記傾斜保持機構が、一端が前記掲示板の上部に固定され、前記ガイドバーの上部に設置される滑車に掛け回された後、垂下されるロープで構成され、前記ロープを任意の繰り出し位置において固定可能にしたものである。その場合は、前記掲示板の上部と前記ガイドバーの上部との間に押し開き用スプリングを介在させることもある。
【００１３】
上記課題を解決するための請求項６に記載のスライド式筆記板は、前記傾斜保持機構を、前記筆記板の上部と前記ガイドバーの上部との間に渡されるエアシリンダーとしたものである。
【考案の効果】
【００１４】
本考案は上述した通りであって、本考案に係るスクリーン機能を兼ね備えたスライド式筆記板は、スクリーン機能を兼ね備えた筆記板であることから、筆記板を、本来の筆記板として使用し得るだけでなく、スクリーンとしても使用することができる。また、既存の昇降機構をそのまま利用し、そのガイドバーの上部に筆記板の傾斜保持機構を付加することにより、筆記板を上側にスライドさせた際に前方に傾斜させることが可能となり、以てプロジェクター等からの投光を直角又はそれに近い角度にて当てることが可能となるため、スクリーン映像がぼやけることがなく、明瞭に見ることができるという効果がある。
【考案を実施するための最良の形態】
【００１５】
本考案を実施するための最良の形態について、添付図面に依拠して説明する。本考案に係るスライド式筆記板は、筆記板１の背面に設置されたガイドバー２が、壁面３０に取り付けられた昇降装置３に支持されることにより昇降可能にされるスクリーン兼用の筆記板であって、筆記板１は、その下端部がガイドバー２の下端部に枢支され、その上部とガイドバー２の上部との間に筆記板１を傾斜させ、且つ、その傾斜状態を保持し得る傾斜保持機構が配備されることを特徴とする。
【００１６】
ここにおける筆記板１には黒板、ホワイトボード等が含まれ、筆記板としての機能に加えスクリーン機能を兼ね備えたものである。筆記板１にスクリーン機能を持たせるには、例えば、特許第２５１０８０９号公報に開示されているセラミックコーティング材を塗布する等の公知の方法を用いることができる。筆記板１の下端には、必要に応じ、粉受け５等が設置される。
【００１７】
筆記板１を上下にスライドさせる構成は、基本的には、上述したようなスプリングやシリンダーを用いる従来のものと変わりはない。そして、従来の場合と同様に、昇降装置３に挿通された、通例２本のガイドバー２を、ブレーキハンドル６を操作してブレーキを外した後、内蔵の昇降機構を介して上下動させる。
【００１８】
筆記板１の下端部は、ガイドバー２の下端部に枢支される。例えば、筆記板１の下端部とガイドバー２の下端部の連結に蝶番１０が用いられ、蝶番１０の一方の翼片がガイドバー２の下部に固定され、他方の翼片が筆記板１の下面に固定される（図６参照）。
【００１９】
本考案に係るスライド式筆記板は、上昇時において、必要に応じて筆記板を傾斜させることができることを特徴とする。その傾斜動作は、筆記板を上昇させる前に行なうことが多いが、上昇させてから行なうこともできる。この傾斜動作を行なわせるために、筆記板１の上部が、ガイドバー２の上部に離接可能に連結される。そのための手段（傾斜保持機構）は、以下に述べるように種々考えられる。
【００２０】
図１及び図２に示す手段は一対の係合板１１、１２である。一方の係合板１１は、通例僅かに円弧状とされる横長孔１３を有し、他方の係合板１２は、その端部に横長孔１３に係合する調整ボルト１４を有する。図示した例では、横長孔１３を有する係合板１１はガイドバー２の方に取り付けられ、他方の係合板１２は筆記板１の方に取り付けられているが、逆であってもよい。
【００２１】
調整ボルト１４は緩めた状態において横長孔１３内を摺動可能であり、横長孔１３内の任意の位置において締め付けることにより、その位置に固定可能である。
【００２２】
図１に示す状態では、調整ボルト１４は横長孔１３の最も奥側（図において右端）に位置しており、この状態において筆記板１は、ガイドバー２と平行の直立状態となっている。また、図２に示す状態では、調整ボルト１４は横長孔１３の最も手前側（図において左端）に位置しており、この状態において筆記板１は、手前側に傾斜した状態となっている。筆記板１は、図１に示す状態と図２に示す状態の間の任意の位置、換言すれば、任意の角度に傾斜させ、その状態を保持させることができる。
【００２３】
図３及び図４は、上記離接可能にするための他の連結手段として、一対のアームを採用した例を示すものである。一方のアーム１５の一端はガイドバー２の上部に枢着され、他方のアーム１６の一端は筆記板１の上部に枢着される。そして、アーム１５とアーム１６のそれぞれの他端同士が締付ネジ１７で連結される。
【００２４】
この実施形態の場合は、図３に示されるアーム１５とアーム１６とが最も折曲された状態において筆記板１は直交状態となり、図４に示される、アーム１５とアーム１６とが一直線状に伸びた状態において、筆記板１は最も手前側に傾斜する。アーム１５とアーム１６は、締付ネジ１７を緩めることにより折曲動作可能で、締付ネジ１７を締めることによりその折曲角度、換言すれば、筆記板１の当該傾斜角度を保持させることができる。
【００２５】
図５は、上記離接可能にするための更に他の連結手段を示すもので、それは、一端が掲示板１の上部に固定され、他端はガイドバー２の上部に設置される滑車１８に掛け回された後、垂下されるロープ１９を含む構成である。
【００２６】
この実施形態の場合、垂下されたロープ１９の下端部が、壁面３０等に設置されるロック手段２０によってロックされる。例えばロック手段２０はロープ挿通部を有し、当該ロープ挿通部内にバネ圧によってロープを押止する押止部材を備えていて、ロープ１９は、常時この押止部材に押圧されてロックされた状態となっている。そして、バネ圧に抗してこの押止部材が押されることにより、ロープ１９に対するロックが解除され、ロープの繰出し、引戻しが可能になる。筆記板１を傾斜させるときはロープを繰出すことになるが、筆記板１の傾斜動作を助けるために、筆記板１とガイドバー２との間に、押し開き用スプリング２１を介在させることが好ましい。
【００２７】
上記離接可能にするための更に他の連結手段として、エアシリンダーを用いることが考えらえる。その場合エアシリンダーは、その本体がガイドバー２の上部又は筆記板１の上部の一方に枢着され、そのロッド先端が、ガイドバー２の上部又は筆記板１の上部の他方に枢着される。
【００２８】
この実施形態の場合は、エアシリンダーの操作で、筆記板１をガイドバー２から離すことで筆記板１を所望角度に傾斜させ、その角度を維持させることができる。
【００２９】
筆記板１を上昇させてスクリーンとして利用する場合、筆記板１は、上昇させる前、あるいは、上昇させた後に、上記いずれかの動作によって所望角度に傾斜させられる。
【００３０】
かくして、プロジェクター等からの投光が直角に近い角度に当たることになり、鮮明なスクリーン映像が得られる。もちろん、筆記板１を本来の筆記板として用い、上方に位置させた場合においても、筆記文字等が見やすい状態となる。
【００３１】
この考案をある程度詳細にその最も好ましい実施形態について説明してきたが、この考案の精神と範囲に反することなしに広範に異なる実施形態を構成することができることは明白なので、この考案は添付特許請求の範囲において限定した以外はその特定の実施形態に制約されるものではない。
【図面の簡単な説明】
【００３２】
【図１】本考案に係るスクリーン機能を兼ね備えたスライド式筆記板の一実施形態の側面図（筆記板が垂直状態にあるとき）である。
【図２】本考案に係るスクリーン機能を兼ね備えたスライド式筆記板の一実施形態の側面図（筆記板が傾斜状態にあるとき）である。
【図３】本考案に係るスクリーン機能を兼ね備えたスライド式筆記板の他の実施形態の側面図（筆記板が垂直状態にあるとき）である。
【図４】本考案に係るスクリーン機能を兼ね備えたスライド式筆記板の他の実施形態の側面図（筆記板が傾斜状態にあるとき）である。
【図５】本考案に係るスクリーン機能を兼ね備えたスライド式筆記板の更に他の実施形態の側面図（筆記板が垂直状態にあるとき）である。
【図６】本考案に係るスクリーン機能を兼ね備えたスライド式筆記板における筆記板とガイドバーの下部の構成を示す拡大図である。
【符号の説明】
【００３３】
１            筆記板
２            ガイドバー
３            昇降装置
５            粉受け
６            ブレーキハンドル
１０          蝶番
１１、１２    係合板
１３          横長孔
１４          調整ボルト
１５、１６    アーム
１７          締付ネジ
１８          滑車
１９          ロープ
２０          ロック手段
２１          押し開き用スプリング
３０          壁面
【図１】
0003125638.tif 000003
【図２】
0003125638.tif 000004
【図３】
0003125638.tif 000005
【図４】
0003125638.tif 000006
【図５】
0003125638.tif 000007
【図６】
0003125638.tif 000008
【手続補正書】
【提出日】平成18年7月19日(2006.7.19)
【手続補正１】
【補正対象書類名】実用新案登録請求の範囲
【補正対象項目名】請求項４
【補正方法】変更
【補正の内容】
【請求項４】
前記傾斜保持機構は、一端が前記筆記板の上部に固定され、前記ガイドバーの上部に設置される滑車に掛け回された後、垂下されるロープで構成され、前記ロープは任意の繰り出し位置において固定可能である請求項１に記載のスライド式筆記板。
【手続補正２】
【補正対象書類名】実用新案登録請求の範囲
【補正対象項目名】請求項５
【補正方法】変更
【補正の内容】
【請求項５】
前記筆記板の上部と前記ガイドバーの上部との間に押し開き用スプリングを介在させた請求項４に記載のスライド式筆記版。
【手続補正３】
【補正対象書類名】明細書
【補正対象項目名】００１２
【補正方法】変更
【補正の内容】
【００１２】
上記課題を解決するための請求項４に記載のスライド式筆記板は、前記傾斜保持機構が、一端が前記筆記板の上部に固定され、前記ガイドバーの上部に設置される滑車に掛け回された後、垂下されるロープで構成され、前記ロープを任意の繰り出し位置において固定可能にしたものである。その場合は、前記筆記板の上部と前記ガイドバーの上部との間に押し開き用スプリングを介在させることもある。
【手続補正４】
【補正対象書類名】明細書
【補正対象項目名】００２５
【補正方法】変更
【補正の内容】
【００２５】
図５は、上記離接可能にするための更に他の連結手段を示すもので、それは、一端が筆記板１の上部に固定され、他端はガイドバー２の上部に設置される滑車１８に掛け回された後、垂下されるロープ１９を含む構成である。